(57)【要約】【課題】インシュレータの外壁部の外側に形成された嵌合溝に渡り線が嵌め込まれる従来のモータでは、嵌合溝に渡り線が嵌め込まれる際に、渡り線が損傷する問題がある。【解決手段】インシュレータは、外壁部６２の外側に配置された渡り線８１の両側に設けられ、外壁部６２の外周面６２Ａから径方向外側に向かって突出した突出部７１および突出部７２（第１突出部および第２突出部）を有する。突出部７１および突出部７２は、外壁部６２を展開したものを、渡り線８１の延在方向から見たときに、渡り線８１よりも外壁部６２から離れた位置において互いに対向するように軸方向に突出した第１凸部７１Ａおよび第２凸部７２Ｂを有する。そして、これらの突出部７１および突出部７２は、周方向について離れた位置に配置される。【選択図】図６
2015233389.tif 000002
【特許請求の範囲】
【請求項１】
環状に配列された複数の第１歯部を有するコアと、
前記第１歯部にそれぞれ積層される複数の第２歯部及び前記複数の第２歯部の径方向外側に配置される環状の壁部を有するインシュレータと、
前記第１歯部及び当該第１歯部に積層された第２歯部に巻き回されたコイル巻回部とを備え、
前記インシュレータは、
前記壁部の外側に配置された所定の渡り線の両側に設けられ、前記壁部の外周面から径方向外側に向かって突出した第１突出部および第２突出部を有しており、
前記第１突出部および前記第２突出部は、
前記環状の壁部を展開したものを、前記所定の渡り線の延在方向から見たときに、前記所定の渡り線よりも前記壁部から離れた位置において互いに対向するように軸方向に突出した第１凸部および第２凸部を有しているとともに、
周方向について離れた位置に配置されていることを特徴とするモータ。
【請求項２】
前記環状の壁部を展開したものを、前記所定の渡り線の延在方向から見たときに、前記第１凸部と前記第２凸部との間の隙間が前記所定の渡り線の径よりも小さい、または、前記第１凸部と前記第２凸部との間に隙間がないことを特徴とする請求項１に記載のモータ。
【請求項３】
前記インシュレータは、
前記第１突出部および前記第２突出部の少なくとも一方を複数有しており、
前記第１突出部および前記第２突出部が周方向について交互に配置されていることを特徴とする請求項１または２に記載のモータ。
【請求項４】
請求項１−３のいずれかに記載のモータを備えることを特徴とする圧縮機。
【発明の詳細な説明】
【技術分野】
【０００１】
本発明は、巻線方式が集中巻きのモータ及びそれを備えた圧縮機に関する。
【背景技術】
【０００２】
従来のモータとしては、環状に配列された複数の歯部を有するコアと、コアの歯部にそれぞれ積層される複数の歯部を有するインシュレータと、コアの歯部及びインシュレータの歯部に巻き回されたコイル巻回部とを備えたものがある。インシュレータは、複数の歯部の径方向外側に配置される環状の外壁部を有する。この外壁部の外側には、コイル巻回部に接続される複数の渡り線が引き回されている。
【先行技術文献】
【特許文献】
【０００３】
【特許文献１】特許第３７２２７１２号
【発明の概要】
【発明が解決しようとする課題】
【０００４】
上記のようなモータでは、振動などにより渡り線が外側に緩んで、渡り線同士が接触したり、渡り線がモータを収容する密閉ケーシングの内周面に接触するおそれがある。そこで、例えば特許文献１には、インシュレータの外壁部の外側に形成された嵌合溝（特許文献１の図４及び図５の嵌合溝３１ａ参照）に渡り線が嵌め込まれるモータが記載されている。この嵌合溝は、特許文献１の図４に示すように、渡り線の上下両側において、インシュレータの外壁部の外周面から外側に突出した２つの突出部と、２つの突出部の先端部から互いに対向するように軸方向に突出した２つの凸部とにより構成される。２つの突出部は、周方向において同一位置に形成されている。また、２つの凸部の間の隙間（開口幅寸法）は、渡り線の外径よりも小さくされている。このモータでは、上記の嵌合溝に渡り線が嵌め込まれるので、渡り線が外側に緩むのが防止される。しかしながら、このモータでは、嵌合溝に渡り線が嵌め込まれる際に、渡り線が損傷する問題がある。
【０００５】
そこで、本発明の目的は、渡り線が損傷することなく、かつ渡り線が外側に緩むのを防止できるモータ及びそれを備えた圧縮機を提供することである。
【０００６】
第１の発明にかかるモータは、環状に配列された複数の第１歯部を有するコアと、前記第１歯部にそれぞれ積層される複数の第２歯部及び前記複数の第２歯部の径方向外側に配置される環状の壁部を有するインシュレータと、前記第１歯部及び当該第１歯部に積層された第２歯部に巻き回されたコイル巻回部とを備え、前記インシュレータは、前記壁部の外側に配置された所定の渡り線の両側に設けられ、前記壁部の外周面から径方向外側に向かって突出した第１突出部および第２突出部を有しており、前記第１突出部および前記第２突出部は、前記環状の壁部を展開したものを、前記所定の渡り線の延在方向から見たときに、前記所定の渡り線よりも前記壁部から離れた位置において互いに対向するように軸方向に突出した第１凸部および第２凸部を有しているとともに、周方向について離れた位置に配置されていることを特徴とする。
【０００７】
このモータでは、インシュレータの壁部を展開したものを、渡り線の延在方向から見たときに、渡り線よりも壁部から離れた位置において、互いに対向するように軸方向に突出した２つの凸部を有する２つの突出部が、周方向について離れた位置に配置されている。そのため、例えば２つの凸部の間の隙間が渡り線の径よりも小さい場合であっても、渡り線を凸部に接触させることなく、渡り線を２つの突出部の間に配置することができる。したがって、渡り線が損傷することなく、かつ渡り線が外側に緩むのを防止できる。
【０００８】
第２の発明にかかるモータは、第１の発明にかかるモータにおいて、前記環状の壁部を展開したものを、前記所定の渡り線の延在方向から見たときに、前記第１凸部と前記第２凸部との間の隙間が前記所定の渡り線の径よりも小さい、または、前記第１凸部と前記第２凸部との間に隙間がないことを特徴とする。
【０００９】
このモータでは、インシュレータの壁部を展開したものを、渡り線の延在方向から見たときに、２つの凸部の間の隙間が渡り線の径よりも小さい、または２つの凸部の間に隙間がないので、渡り線が外側に緩むのをより防止しやすい。
【００１０】
第３の発明にかかるモータは、第１または第２の発明にかかるモータにおいて、前記インシュレータは、前記第１突出部および前記第２突出部の少なくとも一方を複数有しており、前記第１突出部および前記第２突出部が周方向について交互に配置されていることを特徴とする。
【００１１】
このモータでは、突出部が少なくとも３つ以上配置されているとともに、渡り線の上側に配置される突出部と渡り線の下側に配置される突出部とが周方向において交互に配置されるので、渡り線が外側に緩むのをより防止しやすい。
【００１２】
第４の発明にかかる圧縮機は、第１−第３のいずれかに記載のモータを備えることを特徴とする。
【００１３】
この圧縮機では、渡り線が損傷することなく、かつ渡り線が外側に緩むのを防止できるモータを備えた圧縮機を提供できる。
【発明の効果】
【００１４】
以上の説明に述べたように、本発明によれば、以下の効果が得られる。
【００１５】
第１の発明では、インシュレータの壁部を展開したものを、渡り線の延在方向から見たときに、渡り線よりも壁部から離れた位置において、互いに対向するように軸方向に突出した２つの凸部を有する２つの突出部が、周方向について離れた位置に配置されている。そのため、例えば２つの凸部の間の隙間が渡り線の径よりも小さい場合であっても、渡り線を凸部に接触させることなく、渡り線を２つの突出部の間に配置することができる。したがって、渡り線が損傷することなく、かつ渡り線が外側に緩むのを防止できる。
【００１６】
第２の発明では、インシュレータの壁部を展開したものを、渡り線の延在方向から見たときに、２つの凸部の間の隙間が渡り線の径よりも小さい、または２つの凸部の間に隙間がないので、渡り線が外側に緩むのをより防止しやすい。
【００１７】
第３の発明では、突出部が少なくとも３つ以上配置されているとともに、渡り線の上側に配置される突出部と渡り線の下側に配置される突出部とが周方向において交互に配置されるので、渡り線が外側に緩むのをより防止しやすい。
【００１８】
第４の発明では、渡り線が損傷することなく、かつ渡り線が外側に緩むのを防止できるモータを備えた圧縮機を提供できる。
【図面の簡単な説明】
【００１９】
【図１】本発明の実施形態にかかる圧縮機の縦断面図である。
【図２】図１に示すモータの平面図である。
【図３】図１に示すステータコアの平面図である。
【図４】図１に示すインシュレータの平面図である。
【図５】図１に示すインシュレータの展開図である。
【図６】（ａ）は、図５に示すVI(a)-VI(a)線断面図であり、（ｂ）は、図５に示すVI(b)-VI(b)線断面図である。
【図７】図５に示すVII-VII線断面図である。
【発明を実施するための形態】
【００２０】
以下、図面を参照しつつ、本発明の実施形態について説明する。
【００２１】
本発明の実施形態にかかる圧縮機１は、図１に示すように、例えば１シリンダ型のロータリ圧縮機であって、密閉ケーシング１０と、密閉ケーシング１０内に配置される駆動機構２０及び圧縮機構３０とを備えている。この圧縮機１は、いわゆる高圧ドーム型の圧縮機であって、Ｒ３２冷媒（以下、冷媒と略記する）を利用している。この圧縮機１は、密閉ケーシング１０内において、圧縮機構３０が駆動機構２０の下側に配置される。また、密閉ケーシング１０の下部には、圧縮機構３０の各摺動部に供給される潤滑油２が貯留されている。
【００２２】
密閉ケーシング１０は、パイプ１１、トップ１２及びボトム１３によって構成されている。パイプ１１は、上下方向（図１中のＺ方向）、すなわちモータ２１の軸方向（以下、単に軸方向という）に延びた略円筒状の部材であり、その上下端が開口している。また、パイプ１１の側面にはアキュームレータ（図示せず）に接続されるインレットチューブ１４を密閉ケーシング１０の内部に導入するための接続口１１ａが形成されている。そして、この接続口１１ａの内周面には、インレットチューブ１４を保持する円筒形状の継手管１５が接合されている。トップ１２は、パイプ１１の上端の開口を塞ぐ部材である。このトップ１２には、圧縮機構３０によって圧縮された高温高圧の冷媒を密閉ケーシング１０の外部に吐出するための吐出管１６が設けられている。また、トップ１２には、モータ２１に接続されるターミナル端子１７が設けられている。ボトム１３はパイプ１１の下端の開口を塞ぐ部材である。上記した構成の密閉ケーシング１０には、パイプ１１、トップ１２及びボトム１３によって囲まれた密閉空間が形成されている。
【００２３】
圧縮機構３０は、駆動機構２０のシャフト４４の回転軸に沿って上から下に向かって、マフラ３１と、フロントヘッド３２と、シリンダ３３及びピストン３４と、リアヘッド３５とを有している。
【００２４】
駆動機構２０は、圧縮機構３０を駆動するものであって、駆動源となるモータ２１と、モータ２１によって駆動されるシャフト４４とを有している。モータ２１は、ロータ４０と、このロータ４０の径方向外側にエアギャップを介して配置されたステータ５０とを有している。
【００２５】
ロータ４０は、ロータコア４１及び複数の永久磁石（図示せず）を有している。ロータコア４１は、金属材料からなる複数の薄板が互いに積層されるとともに、溶接などによって互いに接合されることによって形成されている。また、ロータコア４１には、その略中央部に、平面視で略円形の貫通孔４３が形成されている。貫通孔４３には、シャフト４４が挿入されており、ロータ４０とステータ５０との間に発生する磁力によって、シャフト４４がロータ４０と共に回転する。
【００２６】
ステータ５０は、図２に示すように、ステータコア５１（コア）と、ステータコア５１の上端部及び下端部にそれぞれ配置されたインシュレータ６０及び７０（図１参照）と、ステータコア５１およびインシュレータ６０及び７０に巻回されたコイル巻回部５２（５２Ｕ，５２Ｖ，５２Ｗ）とを有している。
【００２７】
ステータコア５１（コア）は、金属材料からなる複数の薄板が互いに積層される共に、溶接などによって互いに接合されることによって形成されている。このステータコア５１は、図３に示すように、環状のバックヨーク部５３と、そのバックヨーク部５３から径方向内側に突出する６個の歯部５４Ａ〜５４Ｆ（第１歯部）とを有している。ステータコア５１の略中央部分には、上下方向（Ｚ方向）に延びた貫通孔Ｈが形成されている。この貫通孔Ｈの内部には、上記したロータ４０が配置される。歯部５４Ａ〜５４Ｆの各々は、バックヨーク部５３の内周面から径方向内側に延在する突出部５５Ａ〜５５Ｆと、当該突出部５５Ａ〜５５Ｆの先端に設けられ、突出部５５Ａ〜５５Ｆより周方向に幅広に形成される先端部５６Ａ〜５６Ｆとを有している。
【００２８】
６個の歯部５４Ａ〜５４Ｆ（第１歯部）の各々には、各相（Ｕ相、Ｖ相、Ｗ相）のコイルが巻き回されることにより、コイル巻回部５２（５２Ｕ，５２Ｖ，５２Ｗ）が形成される。具体的には、対向配置される歯部５４Ａ及び５４ＤにＵ相のコイル巻回部５２Ｕが形成され、対向配置される歯部５４Ｂ及び５４ＥにＶ相のコイル巻回部５２Ｖが形成され、対向配置される歯部５４Ｃ及び５４ＦにＷ相のコイル巻回部５２Ｗが形成される。本実施形態のコイルには、外径が０．５ｍｍ〜１．５ｍｍの巻線が使用されている。
【００２９】
図２に示すように、歯部５４Ａに巻き回されるコイル巻回部５２Ｕの巻き始めとなる巻き始め部５２ａ、歯部５４Ｂに巻き回されるコイル巻回部５２Ｖの巻き始めとなる巻き始め部５２ａ、及び、歯部５４Ｃに巻き回されるコイル巻回部５２Ｗの巻き始めとなる巻き始め部５２ａは、電源（ターミナル端子１７）に接続される電源線（引出線）ＰＵ、ＰＶ、ＰＷとなる。これらの電源線ＰＵ、ＰＶ、ＰＷは、それぞれが絶縁部材によって被覆されており、３本がねじった状態で束ねられる。また、各コイル巻回部５２Ｕ、５２Ｖ、５２Ｗの中性線は、後述するインシュレータ６０の外壁部６２の外周面６２Ａを引き回されて、中性線結束位置（図示省略）で結束される。
【００３０】
隣接する歯部５４Ａ〜５４Ｆのそれぞれの間には、図３に示すように、ステータコア５１を上下方向（Ｚ方向）に貫通する６個のスロット５７Ａ〜５７Ｆが形成されている。このスロット５７Ａ〜５７Ｆの各々は、隣接する歯部５４Ａ〜５４Ｆの先端部５６Ａ〜５６Ｆ間に形成される開口Ｇを介して、貫通孔Ｈに連通している。コイル巻回部５２は、この開口Ｇを介してスロット５７Ａ〜５７Ｆの内部に挿入される巻線機のノズル（図示せず）によって、各歯部５４Ａ〜５４Ｆに巻き回される。
【００３１】
インシュレータ６０は、ステータコア５１とコイル巻回部５２との絶縁を図るために設けられた環状の部材であり、例えば樹脂で成形されている。このインシュレータ６０は、図４に示すように、複数の歯部５４Ａ〜５４Ｆの突出部５５Ａ〜５５Ｆに積層される複数の歯部６１Ａ〜６１Ｆ（第２歯部）と、複数の歯部６１Ａ〜６１Ｆの径方向外側に配置される環状の外壁部６２（壁部）と、複数の歯部６１Ａ〜６１Ｆの各々の径方向内側に配置され、前述した先端部５６Ａ〜５６Ｆに積層される内壁部６３Ａ〜６３Ｆとを有している。この外壁部６２及び内壁部６３Ａ〜６３Ｆは、上方（ステータコア５１の反対側）に延在しており、歯部５４Ａ〜５４Ｆ（第１歯部）及びその歯部５４Ａ〜５４Ｆに積層された歯部６１Ａ〜６１Ｆ（第２歯部）に巻き回されたコイル巻回部５２が崩れるのを防止する機能を有している。また、環状の外壁部６２には、図４に示すように、コイル巻回部５２の巻き始め部５２ａを通過させる複数の切欠部６４が形成されている。
【００３２】
図５は、インシュレータ６０の環状の外壁部６２を展開したものであって、外壁部６２の外側を引き回される複数の渡り線の配置の様子を説明するための図である。なお、図５に記載した位置（Ａ１）〜（Ｆ２）と、図４に記載した位置（Ａ１）〜（Ｆ２）とは対応している。
【００３３】
図５に示すように、外壁部６２の外側には、コイル巻回部５２とコイル巻回部５２とをつなぐ２つの渡り線８１、８２が配置されている。これら２つの渡り線８１、８２は、外壁部６２の外周面６２Ａから径方向外側に向かって突出した複数の突出部７１−７８によって、所定の渡り位置に配置され、２つの渡り線８１、８２同士が接触しないようにされている。これら突出部７１−７８は、図６及び図７に示すように、渡り線８１、８２よりも径方向外側まで突出している。図５に示すように、２つの渡り線８１、８２の延在方向は、突出部７１−７６が配置される所定の範囲、すなわち（Ｄ２）−（Ｆ１）の位置に対応する範囲においては、周方向に沿った方向、すなわち上下方向（Ｚ方向）に対して直交する方向とされている。また、渡り線８２の延在方向は、突出部７７、７８が配置される所定の範囲、すなわち（Ｃ２）−（Ｄ１）の位置に対応する範囲においては、周方向に対して所定ほど傾斜した方向とされている。
【００３４】
図６（ａ）に示すように、突出部７１は渡り線８１の上側に配置され、突出部７２は渡り線８１の下側に配置される。したがって、突出部７１および突出部７２は、渡り線８１（所定の渡り線）の上下方向両側に設けられ、外壁部６２の外周面６２Ａから径方向外側に向かって突出した第１突出部および第２突出部に相当する。すなわち、突出部７１が第１突出部に相当し、突出部７２が第２突出部に相当する。
【００３５】
突出部７１および突出部７２は、環状の外壁部６２を展開したものを、渡り線８１の延在方向から見たときに（すなわち、図６（ａ）のように見たときに）、互いに対向するように軸方向に突出した第１凸部７１Ａおよび第２凸部７２Ｂを有している。この第１凸部７１Ａおよび第２凸部７２Ｂは、渡り線８１（所定の渡り線）よりも外壁部６２から径方向外側に離れた位置にある。詳しくは、第１凸部７１Ａおよび第２凸部７２Ｂは、突出部７１および突出部７２の先端部から軸方向に突出している。また、第１凸部７１Ａおよび第２凸部７２Ｂは、それぞれ突出部７１および突出部７２の周方向長さの略全域にある。図６（ａ）に示すように、環状の外壁部６２を展開したものを、渡り線８１の延在方向から見たときに、第１凸部７１Ａと第２凸部７２Ｂとの間の隙間Ｗ１は、渡り線８１の外径Ｄ１よりも小さくされている。なお、渡り線８１の外径Ｄ１は、突出部７１と突出部７２との間（第１凸部７１Ａと第２凸部７２Ｂとの間を除く）の隙間と略同じまたは僅かに小さくされている。
【００３６】
図６（ａ）に示すように、突出部７２は渡り線８２の上側に配置され、突出部７３は渡り線８２の下側に配置される。したがって、突出部７２および突出部７３は、渡り線８２（所定の渡り線）の上下方向両側に設けられ、外壁部６２の外周面６２Ａから径方向外側に向かって突出した第１突出部および第２突出部に相当する。すなわち、突出部７２が第１突出部に相当し、突出部７３が第２突出部に相当する。したがって、突出部７２は、渡り線８１との関係において第２突出部に相当し、渡り線８２との関係において第１突出部に相当する。
【００３７】
突出部７２および突出部７３は、環状の外壁部６２を展開したものを、渡り線８２の延在方向から見たときに（すなわち、図６（ａ）のように見たときに）、互いに対向するように軸方向に突出した第１凸部７２Ａおよび第２凸部７３Ｂを有している。この第１凸部７２Ａおよび第２凸部７３Ｂは、渡り線８２（所定の渡り線）よりも外壁部６２から径方向外側に離れた位置にある。詳しくは、第１凸部７２Ａおよび第２凸部７３Ｂは、突出部７２および突出部７３の先端部から軸方向に突出している。したがって、突出部７２は、上方に突出した第２凸部７２Ｂと、下方に突出した第１凸部７２Ａの両方を有している。また、第１凸部７２Ａおよび第２凸部７３Ｂは、それぞれ突出部７２および突出部７３の周方向長さの略全域にある。図６（ａ）に示すように、環状の外壁部６２を展開したものを、渡り線８２の延在方向から見たときに、第１凸部７２Ａと第２凸部７３Ｂとの間の隙間Ｗ２は、渡り線８２の外径Ｄ２よりも小さくされている。なお、隙間Ｗ１と隙間Ｗ２の大きさは例えば略同じである。ただし、異なっていてもよい。また、渡り線８２の外径Ｄ２は、突出部７２と突出部７３との間（第１凸部７２Ａと第２凸部７３Ｂとの間を除く）の隙間と略同じまたは僅かに小さくされている。
【００３８】
図５に示すように、第１凸部７１Ａを有する突出部７１および第２凸部７２Ｂを有する突出部７２は、従来のモータ（例えば特許文献１に記載のモータ）とは異なり、周方向において離れた位置に配置されている。また、第１凸部７２Ａを有する突出部７２および第２凸部７３Ｂを有する突出部７３も、従来のモータとは異なり、周方向において離れた位置に配置されている。
【００３９】
図６（ｂ）に示すように、突出部７４は渡り線８１の上側に配置され、突出部７５は渡り線の下側に配置される。したがって、突出部７４および突出部７５は、渡り線８１（所定の渡り線）の上下方向両側に設けられ、外壁部６２の外周面６２Ａから径方向外側に向かって突出した第１突出部および第２突出部に相当する。すなわち、突出部７４が第１突出部に相当し、突出部７５が第２突出部に相当する。
【００４０】
また、突出部７５は渡り線８２の上側に配置され、突出部７６は渡り線の下側に配置される。したがって、突出部７５および突出部７６は、渡り線８２（所定の渡り線）の上下方向両側に設けられ、外壁部６２の外周面６２Ａから径方向外側に向かって突出した第１突出部および第２突出部に相当する。すなわち、突出部７５が第１突出部に相当し、突出部７６が第２突出部に相当する。したがって、突出部７５は、渡り線８１との関係において第２突出部に相当し、渡り線８２との関係において第１突出部に相当する。
【００４１】
ここで、突出部７４−突出部７６は、上述した突出部７１−突出部７３と略同様の構成を有する。したがって、突出部７４は、下方に突出した第１凸部７４Ａを有し、突出部７５は、下方に突出した第１凸部７５Ａおよび上方に突出した第２凸部７５Ｂを有し、突出部７６は、上方に突出した第２凸部７６Ｂを有する。図６（ｂ）に示すように、環状の外壁部６２を展開したものを、渡り線８１の延在方向から見たときに、第１凸部７４Ａと第２凸部７５Ｂとの間の隙間Ｗ３は、渡り線８１の外径Ｄ１よりも小さくされている。また、環状の外壁部６２を展開したものを、渡り線８２の延在方向から見たときに、第１凸部７５Ａと第２凸部７５Ｂとの間の隙間Ｗ４は、渡り線８２の外径Ｄ２よりも小さくされている。なお、隙間Ｗ３は隙間Ｗ１と略同じであり、隙間Ｗ４は隙間Ｗ２と略同じである。ただし、隙間Ｗ３と隙間Ｗ１の大きさは異なっていてもよいし、隙間Ｗ４と隙間Ｗ２の大きさも異なっていてもよい。また、渡り線８２の外径Ｄ２は、突出部７７と突出部７８との間（第１凸部７７Ａと第２凸部７８Ｂとの間を除く）の隙間と略同じまたは僅かに小さくされている。
【００４２】
図５に示すように、第１凸部７４Ａを有する突出部７４および第２凸部７５Ｂを有する突出部７５は、従来のモータ（例えば特許文献１に記載のモータ）とは異なり、周方向において離れた位置に配置されている。また、第１凸部７５Ａを有する突出部７５および第２凸部７６Ｂを有する突出部７６も、従来のモータとは異なり、周方向において離れた位置に配置されている。なお、突出部７４−突出部７６の構成は、突出部７１−突出部７３と略同じであるため、その他の詳しい構成については、その説明を割愛する。
【００４３】
図７に示すように、突出部７７は渡り線８２の上側に配置され、突出部７８は渡り線８２の下側に配置される。したがって、突出部７７および突出部７８は、渡り線８２（所定の渡り線）の上下方向両側に設けられ、外壁部６２の外周面６２Ａから径方向外側に向かって突出した第１突出部および第２突出部に相当する。すなわち、突出部７７が第１突出部に相当し、突出部７８が第２突出部に相当する。なお、これらの突出部７７および突出部７８は、図５に示すように、軸方向において略同じ位置に配置されるものである。
【００４４】
突出部７７および突出部７８は、環状の外壁部６２を展開したものを、渡り線８２の延在方向から見たときに（すなわち、斜めの方向から見たときに（図７のように見たときに））、互いに対向するように軸方向に突出した第１凸部７７Ａおよび第２凸部７８Ｂを有している。この第１凸部７７Ａおよび第２凸部７８Ｂは、渡り線８２（所定の渡り線）よりも外壁部６２から径方向外側に離れた位置にある。詳しくは、第１凸部７７Ａおよび第２凸部７８Ｂは、突出部７７および突出部７８の先端部から軸方向に突出している。また、第１凸部７７Ａおよび第２凸部７８Ｂは、それぞれ突出部７７および突出部７８の周方向長さの略全域にある。図７に示すように、環状の外壁部６２を展開したものを、渡り線８２の延在方向から見たときに、第１凸部７１Ａと第２凸部７２Ｂとの間の隙間Ｗ５は、渡り線８２の外径Ｄ２よりも小さくされている。
【００４５】
図５に示すように、第１凸部７７Ａを有する突出部７７および第２凸部７８Ｂを有する突出部７８は、従来のモータ（例えば特許文献１に記載のモータ）とは異なり、周方向において離れた位置に配置されている。
【００４６】
ここで、図５に示すように、インシュレータ６０は、渡り線８１との関係において、第１突出部を２つ有し、かつ第２突出部を２つ有している。すなわち、突出部７１および突出部７４が２つの第１突出部に相当し、突出部７２および突出部７５が２つの第２突出部に相当する。そして、これらの第１突出部および第２突出部は、周方向について（反時計回りに沿って）交互に配置されている。これらの第１突出部および第２突出部は、図５に示すように、反時計回りに沿って突出部７１、突出部７２、突出部７４、突出部７５の順に配置されている。
【００４７】
また、図５に示すように、インシュレータ６０は、渡り線８２との関係において、第１突出部を３つ有し、かつ第２突出部を３つ有している。すなわち、突出部７２、突出部７５および突出部７７が第１突出部に相当し、突出部７３、突出部７６および突出部７８が第２突出部に相当する。そして、これらの第１突出部および第２突出部は、周方向について（反時計回りに沿って）交互に配置されている。これらの第１突出部および第２突出部は、図５に示すように、反時計回りに沿って突出部７２、突出部７３、突出部７５、突出部７６、突出部７７、突出部７８の順に配置されている。
【００４８】
なお、第１突出部および第２突出部は、少なくとも外壁部６２の外側に配置される渡り線の周方向長さよりも短い間隔で配置される。例えば突出部７１（第１突出部）および突出部７２（第２突出部）は、外壁部６２に設けられた２つの切欠き６４ａ、６４ｂの間の外壁部６２ａに配置される。また、例えば突出部７１（第１突出部）および突出部７２（第２突出部）は、隣接する２つの歯部（第２歯部）の間の間隔よりも狭い間隔で配置される。また、インシュレータ６０は、図５に示すように、突出部７１−突出部７８と周方向同一位置に、外壁部６２の外壁部６２から径方向外側に突出する突出部が配置されていない。
【００４９】
インシュレータ７０は、ステータコア５１とコイル巻回部５２との絶縁を図るために設けられた環状の部材であり、例えば樹脂で成形されている。このインシュレータ７０は、インシュレータ６０と同様に、複数の歯部５４Ａ〜５４Ｆの突出部５５Ａ〜５５Ｆに積層される複数の歯部（第２歯部）と、複数の歯部の径方向外側に配置される環状の外壁部（壁部）と、複数の歯部（第２歯部）の各々の径方向内側に配置され、前述した先端部５６Ａ〜５６Ｆに積層される内壁部とを有している。この外壁部及び内壁部は、下方（ステータコア５１の反対側）に延在しており、歯部５４Ａ〜５４Ｆ（第１歯部）及びその歯部５４Ａ〜５４Ｆに積層された歯部（第２歯部）に巻き回されたコイル巻回部５２が崩れるのを防止する機能を有している。また、環状の外壁部には、コイル巻回部５２の巻き始め部または巻き終わり部を通過させる複数の切欠部が形成されている。
【００５０】
＜本実施形態にかかるモータおよび圧縮機の特徴＞
本実施形態にかかるモータには、以下の特徴がある。本実施形態のモータ２１では、インシュレータ６０の外壁部６２（壁部）を展開したものを、渡り線（例えば渡り線８１）の延在方向から見たときに、渡り線（例えば渡り線８１）よりも外壁部６２から離れた位置において互いに対向するように軸方向に突出した２つの凸部（例えば第１凸部７１Ａおよび第２凸部７２Ｂ）を有する２つの突出部（例えば第１突出部７１および第２突出部７２）が、周方向について離れた位置に配置されている。そのため、例えば２つの凸部の間の隙間が渡り線の径よりも小さい場合であっても（例えば第１凸部７１Ａと第２凸部７２Ｂとの間の隙間Ｗ１が渡り線８１の径Ｄ１より小さい場合であっても）、渡り線を凸部に接触させることなく、渡り線を２つの突出部の間に配置することができる。したがって、渡り線が損傷することなく、かつ渡り線が外側に緩むのを防止できる。
【００５１】
また、本実施形態のモータ２１では、インシュレータ６０の壁部を展開したものを、渡り線（例えば渡り線８１）の延在方向から見たときに、２つの凸部の間の隙間（例えば第１凸部７１Ａと第２凸部７２Ｂとの間の隙間Ｗ１）が渡り線の径（例えば渡り線８１の外径Ｄ１）よりも小さいので、渡り線が外側に緩むのをより防止しやすい。
【００５２】
また、本実施形態のモータ２１では、突出部が少なくとも３つ以上配置されているとともに、渡り線の上側に配置される突出部と渡り線の下側に配置される突出部とが周方向において交互に配置されるので、具体的には、図５に示すように、渡り線８１の上側に配置される突出部７１および突出部７４と、渡り線８１の下側に配置される突出部７２および突出部７５とが、周方向において、突出部７１、突出部７２、突出部７４、突出部７５の順に配置されるので、渡り線が外側に緩むのをより防止しやすい。
【００５３】
また、本実施形態の圧縮機１では、渡り線が損傷することなく、かつ渡り線が外側に緩むのを防止できるモータ２１を備えた圧縮機１を提供できる。
【００５４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５５】
上述の実施形態では、インシュレータの壁部の外側に配置された所定の渡り線が、コイル巻回部５２とコイル巻回部５２とをつなぐ渡り線である場合について説明したが、インシュレータの壁部の外側に配置された所定の渡り線は、インシュレータの壁部の外側に配置される巻線であれば何でもよい。したがって、インシュレータの壁部の外側に配置された所定の渡り線が、例えばコイル巻回部５２とターミナル端子１７とをつなぐ電源線（引出線）であってもよいし、コイル巻回部５２から延びて中性線結束位置で結束される中性線であってもよい。したがって、本発明において、インシュレータの壁部の外側に配置された所定の渡り線とは、コイル巻回部とコイル巻回部とをつなぐ渡り線だけでなく、インシュレータの壁部の外側に配置される全ての巻線を含む。
【００５６】
また、上述の実施形態では、ステータコア５１の上方に配置されるインシュレータ６０に第１突出部および第２突出部が配置される場合について説明したが、ステータコア５１の上方に配置されるインシュレータ６０およびステータコア５１の下方に配置されるインシュレータ７０に第１突出部および第２突出部が配置されてもよいし、ステータコア５１の下方に配置されるインシュレータ７０にのみ第１突出部および第２突出部が配置されてもよい。これにより、インシュレータ７０の外側に配置される渡り線が外側に緩むのを防止できる。
【００５７】
また、上述の実施形態では、インシュレータの壁部を展開したものを、渡り線の延在方向から見たときに、第１凸部と第２凸部との間の隙間が渡り線の径よりも小さい場合について説明したが、第１凸部と第２凸部との間に隙間がなくてもよい。それにより、渡り線が外側に緩むのをより防止しやすい。また、第１凸部と第２凸部との間の隙間が渡り線の径よりも大きくてもよい。
【００５８】
また、上述の実施形態では、所定の渡り線との関係において、第１突出部および第２突出部の少なくとも一方を複数有しており、第１突出部および第２突出部が周方向について交互に配置されている場合について説明したが、第１突出部および第２突出部が周方向について交互に配置されなくてもよいし、第１突出部および第２突出部は、１つずつであってもよい。
【００５９】
また、上述の実施形態では、第１突出部と周方向同一位置に、外壁部６２の外壁部６２から径方向外側に突出する突出部が配置されていない場合について説明したが、第１突出部の第１凸部と突出部との隙間が渡り線の径よりも狭くならないのであれば、第１突出部の下方に突出部が配置されてもよい。また、第１突出部の上方であれば、突出部がどこに配置されていてもよい。
【００６０】
また、上述の実施形態では、第２突出部と周方向同一位置に、外壁部６２の外壁部６２から径方向外側に突出する突出部が配置されていない場合について説明したが、第２突出部の第２凸部と突出部との隙間が渡り線の径よりも狭くならないのであれば、第２突出部の上方に突出部が配置されてもよい。また、第２突出部の下方であれば、突出部がどこに配置されていてもよい。
【００６１】
また、上述の実施形態では、第１凸部および第２凸部が、それぞれ第１突出部および第２突出部の周方向略全域にある場合について説明したが、第１突出部および第２突出部の周方向の一部にあってもよい。
【産業上の利用可能性】
【００６２】
本発明を利用すれば、渡り線が損傷することなく、かつ渡り線が外側に緩むのを防止できる。
【符号の説明】
【００６３】
１  圧縮機
２１  モータ
５１  ステータコア（コア）
５２  コイル巻回部
５４Ａ〜５４Ｆ  歯部（第１歯部）
６０、７０  インシュレータ
６１Ａ〜６１Ｆ  歯部（第２歯部）
６２  外壁部（壁部）
６２Ａ  外周面
７１、７２、７４、７５、７７  第１突出部
７２、７３、７５、７６、７８  第２突出部
７１Ａ、７２Ａ、７４Ａ、７５Ａ、７７Ａ  第１凸部
７２Ｂ、７３Ｂ、７５Ｂ、７６Ｂ、７８Ｂ  第２凸部
８１、８２  渡り線
【図１】
2015233389.tif 000003
【図２】
2015233389.tif 000004
【図３】
2015233389.tif 000005
【図４】
2015233389.tif 000006
【図５】
2015233389.tif 000007
【図６】
2015233389.tif 000008
【図７】
2015233389.tif 000009